(57)【要約】【課題】光半導体素子の装着と電気的な接続を容易に行うことができ、且つ、光半導体素子からの照射光を適切に照射することのできる車両用照明装置を提供する。【解決手段】発光部２と、受電部材７０と、保持部３と、を具備する光源ユニット１と、取付モジュール１１０と、バスバー１２０と、を具備する。発光部２は、発光素子２１を有する。受電部材７０は、発光素子２１に供給する電気を受ける。保持部３は、発光部２を保持する。取付モジュール１１０は、光源ユニット１を装着する。バスバー１２０は、受電部材７０に対して給電可能に取付モジュール１１０に設けられ、取付モジュール１１０への光源ユニット１の装着時に受電部材７０に対して電気的に接続される。【選択図】図１
2015106544.tif 000002
【特許請求の範囲】
【請求項１】
１以上の発光素子を有する発光部と；
前記発光素子に供給する電気を受ける受電部材と；
前記発光部を保持する保持部と；
を具備する光源ユニットと；
前記光源ユニットを装着する装着部材と；
前記受電部材に対して給電可能に前記装着部材に設けられ、前記装着部材への前記光源ユニットの装着時に前記受電部材に対して電気的に接続されるバスバーと；
を具備する車両用照明装置。
【請求項２】
前記光源ユニットは、前記発光素子の発光時に発生する熱を放熱する放熱部を具備し、
前記放熱部は、前記装着部材への前記光源ユニットの装着時に前記バスバーに接触する請求項１に記載の車両用照明装置。
【請求項３】
前記バスバーには、前記装着部材への前記光源ユニットの装着方向に開口した溝部が形成されており、
前記受電部材は、前記装着部材への前記光源ユニットの装着時に前記溝部に入り込んで前記バスバーと係合することにより、前記バスバーと電気的に接続される請求項１または２に記載の車両用照明装置。
【請求項４】
前記光源ユニットを前記装着部材に固定するねじ部材を具備し、
前記光源ユニットは、前記ねじ部材によって前記装着部材に装着される請求項１〜３のいずれか１項に記載の車両用照明装置。
【請求項５】
前記光源ユニットと前記装着部材とのうち少なくともいずれか一方は、他方に係合する爪部を具備しており、
前記光源ユニットは、前記爪部の係合によって前記装着部材に装着される請求項１〜４のいずれか１項に記載の車両用照明装置。
【発明の詳細な説明】
【技術分野】
【０００１】
本発明の実施形態は、車両用照明装置に関する。
【背景技術】
【０００２】
光半導体素子を光源とした車両用照明装置は、フロントコンビネーションライトやリアコンビネーションライトに用いられている。特に、リアコンビネーションライトについては、小型乗用車等の普及車両にまで採用が拡大しており、着実に搭載車両が増えている。光半導体素子は、素子自体の温度上昇に伴い発光効率が低下する特性を有しているため、光半導体素子を照明装置として用いる場合は、光半導体素子の熱対策が重要な項目となる。光半導体素子の発熱を抑える手段としては、例えば、光半導体素子等の発熱素子の実装間隔を広げて、隣接する素子間の熱影響を緩和させる手段や、光半導体素子の駆動電流を下げて、必要な光量を光半導体素子の使用数で補う手段などが挙げられる。
【０００３】
また、車両用照明装置の中には、フロントコンビネーションライトやリアコンビネーションライトで用いられる複数の光源のうち、一部の光源は既存の電球を使用し、一部の光源を光半導体素子に置き換えているものがある。光半導体素子では、輝度制御や保護のために、抵抗やダイオードを備えた制御回路が必要になるが、制御回路を灯具に後付けすると、電球への給電部とは別に設けることになり、灯具が嵩張ったり、制御回路と給電部との間に別途接続手段が必要になって複雑化したりする。このため、従来の車両用照明装置の中には、光半導体素子の制御回路は電球への給電部と一体に構成すると共に、光半導体素子をモジュール化して灯具に装着し、バスバーを用いて光半導体素子と制御回路とを電気的に接続しているものがある。このような車両用照明装置では、このように構成することにより接続構造を簡単にし、全体形状もコンパクトにまとめている。
【先行技術文献】
【特許文献】
【０００４】
【特許文献１】特開２００５−２０９４４８号公報
【発明の概要】
【発明が解決しようとする課題】
【０００５】
しかしながら、光半導体素子は光の照射範囲が狭いため、光半導体素子をモジュール化して灯具に装着しても、光半導体素子からの照射光は、モジュールに備えられる光半導体素子から、狭い範囲に照射されることになる。このため、光源として光半導体素子を用いる際には、モジュール化して灯具に装着する場合でも、多くの光半導体素子を用いる必要があった。
【０００６】
本発明は、上記に鑑みてなされたものであって、光半導体素子の装着と電気的な接続を容易に行うことができ、且つ、光半導体素子からの照射光を適切に照射することのできる車両用照明装置を提供することを目的とする。
【課題を解決するための手段】
【０００７】
実施形態の車両用照明装置は、発光部と；受電部材と；保持部と；を具備する光源ユニットと；装着部材と；バスバーと；を具備する。発光部は、１以上の発光素子を有する。受電部材は、発光素子に供給する電気を受ける。保持部は、発光部を保持する。装着部材は、光源ユニットを装着する。バスバーは、受電部材に対して給電可能に装着部材に設けられ、装着部材への光源ユニットの装着時に受電部材に対して電気的に接続される。
【発明の効果】
【０００８】
本発明によれば、光半導体素子の装着と電気的な接続を容易に行うことができ、且つ、光半導体素子からの照射光を適切に照射することができる。
【図面の簡単な説明】
【０００９】
【図１】図１は、実施形態に係る車両用照明装置の要部斜視図である。
【図２】図２は、図１に示す光源ユニットの斜視図である。
【図３】図３は、図２のＡ−Ａ断面図である。
【図４】図４は、図１に示す取付モジュールの平面図である。
【図５】図５は、図４のＢ−Ｂ’−Ｂ’−Ｂ断面矢視図である。
【図６】図６は、図５のＣ−Ｃ矢視図である。
【図７】図７は、光源ユニットを取付モジュールに装着した状態を示す平面図である。
【図８】図８は、図７のＤ−Ｄ’−Ｄ’−Ｄ断面矢視図である。
【図９】図９は、リフレクタを装着した状態を示す説明図である。
【図１０】図１０は、実施形態に係る車両用照明装置の変形例であり、ヒートシンクをバスバーに接触する構成を示す説明図である。
【発明を実施するための形態】
【００１０】
以下で説明する実施形態に係る車両用照明装置１００は、発光部２と、受電部材７０と、保持部３と、を具備する光源ユニット１と、取付モジュール１１０と、バスバー１２０と、を具備する。発光部２は、１以上の発光素子２１を有する。受電部材７０は、発光素子２１に供給する電気を受ける。保持部３は、発光部２を保持する。取付モジュール１１０は、光源ユニット１を装着する。バスバー１２０は、受電部材７０に対して給電可能に取付モジュール１１０に設けられ、取付モジュール１１０への光源ユニット１の装着時に受電部材７０に対して電気的に接続される。
【００１１】
また、以下で説明する実施形態に係る車両用照明装置１００では、光源ユニット１は、発光素子２１の発光時に発生する熱を放熱するヒートシンク３３を具備し、ヒートシンク３３は、取付モジュール１１０への光源ユニット１の装着時にバスバー１２０に接触する。
【００１２】
また、以下で説明する実施形態に係る車両用照明装置１００では、バスバー１２０には、取付モジュール１１０への光源ユニット１の装着方向に開口した溝部１２１が形成されており、受電部材７０は、取付モジュール１１０への光源ユニット１の装着時に溝部１２１に入り込んでバスバー１２０と係合することにより、バスバー１２０と電気的に接続される。
【００１３】
また、以下で説明する実施形態に係る車両用照明装置１００は、光源ユニット１を取付モジュール１１０に固定するねじ部材７５を具備し、光源ユニット１は、ねじ部材７５によって取付モジュール１１０に装着される。
【００１４】
また、以下で説明する実施形態に係る車両用照明装置１００では、光源ユニット１と取付モジュール１１０とのうち少なくともいずれか一方は、他方に係合する爪部１１２を具備しており、光源ユニット１は、爪部１１２の係合によって取付モジュール１１０に装着される。
【００１５】
〔実施形態〕
次に、実施形態に係る車両用照明装置を図面に基づいて説明する。図１は、実施形態に係る車両用照明装置の要部斜視図である。本実施形態に係る車両用照明装置１００は、車両に搭載される照明装置であり、例えば、フロントコンビネーションライト、リアコンビネーションライト等に用いられる。この車両用照明装置１００は、光源を有する装置である光源ユニット１と、この光源ユニット１を装着すると共に、光源ユニット１に対して電気を供給することができるようにも構成されている装着部材である取付モジュール１１０と、を備えている。
【００１６】
このうち、光源ユニット１は、取付モジュール１１０に装着された状態で取付モジュール１１０側から供給される電気によって発光することができるように構成されている。また、取付モジュール１１０は、例えば電球等の、光源ユニット１以外の他の光源（図示省略）も装着することが可能になっており、光源ユニット１を含む複数の光源を装着し、これらの光源に対して電気を供給することができるようになっている。
【００１７】
図２は、図１に示す光源ユニットの斜視図である。図３は、図２のＡ−Ａ断面図である。光源ユニット１には、ねじ部材７５を通す貫通孔７６が形成されており、光源ユニット１は、貫通孔７６にねじ部材７５を通してねじ部材７５を取付モジュール１１０に螺合することにより、取付モジュール１１０に取り付けることが可能になっている。なお、光源ユニット１は、本実施形態では平面視において略矩形状に形成されており、貫通孔７６は、矩形の所定の一辺における両端付近に形成されている。
【００１８】
また、光源ユニット１は、発光部２と、保持部３と、ライトガイド４と、蓋部５とを含んで構成されている。発光部２は、光源として１以上の発光素子２１を有する。保持部３は、発光部２を保持する。ライトガイド４は、発光部２からの光を導光し、発光部２側と反対側の先端部４ａから照射する。蓋部５は、保持部３に固定される第１固定部５１と、先端部４ａを露出させた状態でライトガイド４を内部に固定する第２固定部５２とを有する。光源ユニット１は、発光部２及び保持部３が蓋部５に収納され、ライトガイド４が蓋部５に固定されている。即ち、蓋部５は、発光部２や保持部３を覆うカバーになっている。
【００１９】
発光部２は、光を照射するものであり、例えば、放熱性の基板２２に実装された発光素子２１を有する。発光素子２１は、ＬＥＤ（Ｌｉｇｈｔ  Ｅｍｉｔｔｉｎｇ  Ｄｉｏｄｅ）、ＬＤ（Ｌａｓｅｒ  Ｄｉｏｄｅ）等の光を照射する半導体素子であり、１個以上、本実施形態では複数個が直列あるいは並列に基板２２に直接実装されている。また、発光部２は、発光素子２１の発光を制御する制御素子（図示省略）を有しており、制御素子も発光素子２１と同様に、基板２２に直接実装されている。各発光素子２１は、基板２２上の制御素子に対してワイヤ２３を介して電気的に接続されている。
【００２０】
発光部２は、発光素子２１を囲繞して発光素子２１を収容する発光容器２４を有しており、発光容器２４の内周面、即ち、発光容器２４における発光素子２１に対向する面は、発光素子２１からの光を反射するリフレクタ２４ａになっている。このリフレクタ２４ａは、基板２２側からライトガイド４側に向かって拡幅する傾斜面となって形成されている。発光部２は、発光素子２１の損傷およびワイヤ２３の切断の防止を目的として、発光容器２４によりできた空間部に透過性を有する樹脂２５を充填することで、発光素子２１が樹脂封止されている。従って、複数の発光素子２１を発光容器２４内に収容するので、基板実装可能にすでにユニット化された複数のＬＥＤユニットをプリント基板に実装する場合と比較して、光源を小さくすることができ、基板の小型化を図ることができる。
【００２１】
基板２２は、発光素子２１を実装する実装用基板であるとともに発光部２に電力を供給する駆動回路を実装する駆動用基板でもある。発光素子２１や制御素子、発光容器２４は、基板２２における光源ユニット１の照射方向側の面である部品配置面６１に配置されている。基板２２は、部品配置面６１の反対側に位置する面が放熱面６２として構成されており、本実施形態では、保持部３における、光源ユニット１が有する発光部品の取り付け部であるマウント３１に当接した状態で固定されている。このため、基板２２は、発光部２や保持部３と同様に、これらと共に蓋部５に覆われている。また、基板２２は、熱伝導率の高い金属やセラミックスなど発光素子２１が発生する熱移動が容易な材料で形成されている絶縁基板である。
【００２２】
保持部３は、発光部２を保持するものであり、発光部２からの熱を放熱する放熱部材でもある。基板２２は、放熱面６２が、このように放熱部材でもある保持部３に接触して配設されている。保持部３のうち、発光部２が載置されるマウント３１を含む本体部３２は、樹脂材料で構成されており、本実施形態では、放熱性を向上させるために、図３に示すように、金属を材料として形成された放熱用の凹凸部であるヒートシンク３３が、樹脂材料で構成された本体部３２に取り付けられている。ヒートシンク３３は、保持部３の外部に対する表面積を拡大するものであるので、放熱面積が向上し、放熱効果が向上する。このように表面積を拡大する形状で形成されたヒートシンク３３は、発光素子２１の発光時に発生する熱を放熱する放熱部として設けられている。なお、保持部３の本体部３２とヒートシンク３３は、放射性の高い樹脂などで一体的に成形された構成でもよい。
【００２３】
ライトガイド４は、発光部２からの光を導光して外部に照射するものである。ライトガイド４は、柱状に形成されており、具体的には円柱形状に形成され、発光部２側と反対側の先端部４ａから導光された発光部２からの光が放射される。詳しくは、ライトガイド４は、発光素子２１側に、発光素子２１からの光が入光する入光面６３を有しており、先端部４ａは、ライトガイド４の形状である柱状の延在方向における入光面６３の反対側に位置している。ライトガイド４は、例えば、透明なアクリル樹脂、ガラス、ポリカーボネートなどの光線透過率の高い材料により形成されている。
【００２４】
ライトガイド４は、入光面６３が発光部２と対向して配置されている。ライトガイド４は、発光部２からの光の全部あるいは大部分を導光するために、入光面６３が発光部２と接触あるいは若干の隙間をもって光学的に接続されている。つまり、発光部２からの光は、ライトガイド４の入光面６３から入射され、ライトガイド４内を全反射しながら先端部４ａから外部に照射される。
【００２５】
詳しくは、ライトガイド４は、先端部４ａに、入光面６３から入光した光が出光する出光部である凹部４１が形成されている。凹部４１は、ライトガイド４を凹部４１が位置する側の端部側から見た場合における形状が円形になり、深さ方向がライトガイド４の延在方向となってライトガイド４の端部からライトガイド４の内側方向に凹んで形成されている。換言すると、ライトガイド４の先端部４ａに形成される凹部４１は、柱状に形成されるライトガイド４の軸方向視における形状が円形になって、入光面６３の方向に凹んで形成されている。
【００２６】
さらに、凹部４１は、ライトガイド４の軸を含む平面における断面形状（図３で示す断面形状）では、先端部４ａに向かって裾広がりとなる台形に形成されており、外部に連通する空間部になっている。このため、凹部４１における、凹部４１の表面である凹部表面４１ａと、凹部表面４１ａにおけるライトガイド４の内側の面である凹部内面４１ｂとのうち、凹部内面４１ｂは、ライトガイド４の軸方向における入光面６３側で、且つ、ライトガイド４の径方向における外側方向に面している。従って、凹部内面４１ｂのうち、ライトガイド４の延在方向であるライトガイド４の軸方向に対して傾斜している部分に対して、ライトガイド４内から当たった光の一部は、凹部内面４１ｂによって、ライトガイド４の径方向における外側方向に反射し、出光することが可能になっている。
【００２７】
蓋部５は、保持部３及びライトガイド４を固定するものであり、第１固定部５１と、第２固定部５２と、貫通穴５３とを含んで構成されている。第１固定部５１は、保持部３に固定されるものであり、有底の角筒状に形成されている。蓋部５は、有底の角筒状の第１固定部５１における開口側の端部が、光源ユニット１を取付モジュール１１０に装着する際に取付モジュール１１０に接触する取付部５４になっている。つまり、取付部５４は、光源ユニット１における取付モジュール１１０への取り付け部分になっている。
【００２８】
第１固定部５１は、保持部３と共に、発光部２を外部に対して閉塞するものである。第１固定部５１は、内部で貫通穴５３と連通しており、本実施形態では、第１固定部５１が保持部３の本体部３２に固定されると、発光部２の一部が貫通穴５３に挿入された状態となる。従って、第１固定部５１と保持部３との間に、発光部２からの光が照射されることを抑制することができる。
【００２９】
第１固定部５１は、弾性を有する材料で構成されたパッキン（図示省略）を介して保持部３に固定されている。つまり、蓋部５の保持部３に固定されている部分から外部の雰囲気が侵入することをパッキンにより防止することができる。なお、第１固定部５１は、ヒートシンク３３も第１固定部５１内に位置するように、本体部３２に固定されており、蓋部５は、ヒートシンク３３を取付部５４側に開放して保持部３と係合している。
【００３０】
第２固定部５２は、ライトガイド４を内部に固定するものである。第２固定部５２は、第１固定部５１から連続する角筒形状であり、内部に貫通穴５３が形成されている。換言すると、第２固定部５２は、有底の角筒状に形成される第１固定部５１の底部を構成している。第２固定部５２は、先端部４ａが露出した状態で貫通穴５３に挿入されたライトガイド４を固定する。即ち、第２固定部５２は、先端部４ａが、取付部５４が位置する側の反対方向を向く向きで、ライトガイド４を固定する。
【００３１】
また、基板２２には、発光素子２１に供給する電気を受ける受電部材７０が接続されており、この受電部材７０が、光源ユニット１の外部に設けられた外部電源（図示省略）と電気的に接続されることにより、発光素子２１には、受電部材７０を介して外部電源の電力が供給される。受電部材７０は、厚さが薄く、所定の幅を有する板状、或いは、幅が広い線状の形状で形成されており、基板２２に接続されている側の端部の反対側の端部が、蓋部５の外に出ている。
【００３２】
詳しくは、蓋部５には、ライトガイド４の軸方向における取付部５４側の部分に、蓋部５の内側と外側とを連通し、受電部材７０用の開口部として形成された受電部材用開口部７１が形成されている。また、保持部３には、基板２２から受電部材用開口部７１にかけての受電部材７０の経路上に、受電部材７０が配設可能に形成された切欠きである受電部材用切欠部７２が形成されている。
【００３３】
一端が基板２２に接続されている受電部材７０は、蓋部５内において、受電部材用切欠部７２を通って基板２２から受電部材用開口部７１にかけて形成され、さらに受電部材用開口部７１を通って、蓋部５内から蓋部５の外に向かって形成されている。このように配設される受電部材７０は、光源ユニット１の用途に応じて複数が設けられており、複数の受電部材７０は、全て蓋部５内から蓋部５の外に突出して配設されている。また、受電部材７０における蓋部５の外側に位置する部分は、幅方向がライトガイド４の軸方向になり、厚さ方向が、平面視において略矩形状に形成される光源ユニット１における、受電部材７０が突出している辺に沿った方向となって配設されている。
【００３４】
図４は、図１に示す取付モジュールの平面図である。図５は、図４のＢ−Ｂ’−Ｂ’−Ｂ断面矢視図である。光源ユニット１を装着する装着部材である取付モジュール１１０は、光源ユニット１を装着する装着面１１１に、ねじ部材７５と螺合するねじ孔１１３が形成されている。このねじ孔１１３は、光源ユニット１を装着面１１１に装着した際に、光源ユニット１の貫通孔７６が位置する部分に形成されている。つまり、本実施形態では、ねじ孔１１３は貫通孔７６と同様に２つ形成されている。
【００３５】
また、取付モジュール１１０には、装着面１１１に光源ユニット１を装着した際における、ねじ孔１１３側の辺の反対側の辺側に、光源ユニット１に係合する爪部１１２が形成されている。この爪部１１２は、装着面１１１に略直交して立設されており、光源ユニット１における装着面１１１に接触する面側の反対側の面に接触して係合するように形成されている。
【００３６】
また、取付モジュール１１０には、光源ユニット１に対して電気を供給可能なバスバー１２０が備えられている。このバスバー１２０は、取付モジュール１１０において、光源ユニット１を装着する装着面１１１が位置する側の面と同じ面側に配設されている。さらに、取付モジュール１１０には、バスバー１２０が配設されている位置と装着面１１１との間に、双方の領域を区画する隔壁部１１５が形成されている。
【００３７】
隔壁部１１５は、ねじ孔１１３の近傍に形成されており、爪部１１２と同様に、装着面１１１に略直交する向きで形成されている。また、隔壁部１１５は、装着面１１１に形成される２つのねじ孔１１３が並んでいる方向に沿って形成されている。つまり、隔壁部１１５は、ねじ孔１１３から見た場合における、爪部１１２が形成されている側の反対側に形成されている。
【００３８】
バスバー１２０は、光源ユニット１の受電部材７０に対応して複数が設けられており、複数のバスバー１２０は、少なくとも一部が、隔壁部１１５における装着面１１１側の面の反対側の面に接触し、隔壁部１１５のこの面に沿って配設されている。具体的には、バスバー１２０は、取付モジュール１１０の表面に沿って形成されるため、取付モジュール１１０における隔壁部１１５から離れた位置では、装着面１１１が面する方向と同じ方向に面して形成される。このバスバー１２０は、隔壁部１１５が形成される位置では、隔壁部１１５に沿って折り曲げられることにより、隔壁部１１５における装着面１１１側の面の反対側の面に沿って形成される。なお、これらの複数のバスバー１２０は、いずれの部分においても接触することなく、全て離間している。
【００３９】
図６は、図５のＣ−Ｃ矢視図である。これらのように、隔壁部１１５とバスバー１２０とにおける、双方が重なっている部分には、それぞれに溝部が形成されている。具体的には、バスバー１２０における、隔壁部１１５に沿って形成されている部分には、取付モジュール１１０への光源ユニット１の装着方向に開口した溝部１２１が形成されている。この溝部１２１は、溝幅が光源ユニット１の受電部材７０の厚さよりも若干広くなっている。さらに、装着面１１１に直交する方向における、装着面１１１から溝部１２１の溝底までの距離が、ライトガイド４の軸方向における取付部５４から、受電部材７０の取付部５４側の部分の位置との距離よりも、若干小さくなっている。このように形成される溝部１２１は、溝深さが、ライトガイド４の軸方向における受電部材７０の幅よりも深くなっており、溝の開口部が面取りされている。また、これらのように複数のバスバー１２０のそれぞれに形成される溝部１２１同士の間隔は、光源ユニット１に複数形成される受電部材７０同士の間隔とほぼ同じ間隔になっている。
【００４０】
また、隔壁部１１５には、バスバー１２０における溝部１２１が形成されている位置に、この溝部１２１と同様に取付モジュール１１０への光源ユニット１の装着方向に開口した隔壁溝部１１６が形成されている。即ち、隔壁溝部１１６は、バスバー１２０の溝部１２１に重なった状態で形成されている。この隔壁溝部１１６は、溝幅がバスバー１２０の溝部１２１の溝幅よりも若干広くなっている。さらに、装着面１１１に直交する方向における、装着面１１１から隔壁溝部１１６の溝底までの距離が、装着面１１１から同方向におけるバスバー１２０の溝部１２１の溝底までの距離よりも、若干小さくなっている。このため、隔壁部１１５の厚さ方向に見た場合、バスバー１２０の溝部１２１は、隔壁溝部１１６の内側に位置する状態になる。
【００４１】
この実施形態に係る車両用照明装置１００は、以上のごとき構成からなり、以下、その作用について説明する。図７は、光源ユニットを取付モジュールに装着した状態を示す平面図である。図８は、図７のＤ−Ｄ’−Ｄ’−Ｄ断面矢視図である。光源ユニット１を取付モジュール１１０に装着する際には、光源ユニット１の取付部５４を取付モジュール１１０の装着面１１１に対向させ、さらに、光源ユニット１の貫通孔７６が、取付モジュール１１０のねじ孔１１３に重なる向きにする。光源ユニット１は、この向きで取付部５４が装着面１１１に近付く方向に移動させると、受電部材７０が隔壁溝部１１６に入り込み、さらに受電部材７０は、隔壁溝部１１６に重なっているバスバー１２０の溝部１２１に入り込む。つまり、隔壁部１１５の隔壁溝部１１６とバスバー１２０の溝部１２１とは、共に取付モジュール１１０への光源ユニット１の装着方向に開口しているため、取付モジュール１１０に対して光源ユニット１を装着するために近付けると、受電部材７０は、双方の溝部１１６、１２１の開口部分から溝部１１６、１２１内に入り込む。
【００４２】
このように、受電部材７０が隔壁部１１５の隔壁溝部１１６とバスバー１２０の溝部１２１とに入り込んだ状態で、光源ユニット１の取付部５４を装着面１１１に接触させることにより、爪部１１２を、光源ユニット１におけるライトガイド４が突出している側の面に接触させる。これにより、爪部１１２を光源ユニット１に係合させる。さらに、貫通孔７６にねじ部材７５を通してねじ部材７５とねじ孔１１３とを螺合させることにより、光源ユニット１の取付部５４を取付モジュール１１０の装着面１１１に密着させる。光源ユニット１は、これらの爪部１１２の係合と、ねじ部材７５の螺合とにより、取付モジュール１１０に装着される。
【００４３】
その際に、受電部材７０は、バスバー１２０の溝部１２１に入り込んでいるため、受電部材７０はバスバー１２０に接触した状態になっており、受電部材７０とバスバー１２０とは電気的に接続された状態になっている。また、バスバー１２０は、車両に搭載されるバッテリ等の外部電源に対して電気的に接続されている。このため、光源ユニット１が取付モジュール１１０に装着されると、受電部材７０は、バスバー１２０に対して電気的に接続され、バスバー１２０を介して、受電部材７０は、外部電源に対して電気的に接続される。このように、取付モジュール１１０への光源ユニット１の装着時には、受電部材７０は、バスバー１２０の溝部１２１に入り込んでバスバー１２０と係合することにより、バスバー１２０と電気的に接続される。
【００４４】
図９は、リフレクタを装着した状態を示す説明図である。車両用照明装置１００には、さらに光源ユニット１から照射された光を所望の方向に照射するリフレクタ１３０が設けられている。このリフレクタ１３０は、光源ユニット１から光を照射する際における照射対象物として設けられており、光源ユニット１から照射、即ち、ライトガイド４から照射された光を、所定の配光で外部に放射することができるように構成されている。
【００４５】
詳しくは、リフレクタ１３０は、凹状に形成されており、光源ユニット１のライトガイド４を囲繞して配置することができるように形成されている。リフレクタ１３０は、通常樹脂材料で形成され、内周面にアルミニウムなどの反射材料により反射層が形成されることで、リフレクタ１３０の内周面が反射面（鏡面）として形成されている。これにより、リフレクタ１３０は、反射面で反射した光を、凹状の開口部分である開口部１３５から、外部に向けて照射可能になっている。このリフレクタ１３０には、光源ユニット１のライトガイド４を内部に露出させるための挿入口１３１が、リフレクタ１３０の形状である凹状の底部付近に形成されている。
【００４６】
リフレクタ１３０は、リフレクタ１３０の外面側から、即ち、反射面が形成されている側の面の反対側の面側から、挿入口１３１に対してライトガイド４が挿入される状態で配設される。これによりリフレクタ１３０は、ライトガイド４を囲繞し、特に、ライトガイド４の先端部４ａ側を囲繞した状態になり、反射面が、ライトガイド４の凹部内面４１ｂに対向した状態になる。
【００４７】
このように、構成された車両用照明装置１００を点灯させる際には、外部電源に電気的に接続されたバスバー１２０を介して、光源ユニット１に電力を供給する。即ち、外部電源から供給された電気はバスバー１２０に伝達され、さらに、バスバー１２０に電気的に接続される受電部材７０に供給される。これにより、この電力は、受電部材７０から基板２２に供給され、さらに、この電力は、基板２２に配置される制御素子で制御されて発光素子２１に供給される。各発光素子２１は、このように供給された電力により発光し、この発光素子２１により、発光部２は発光する。
【００４８】
発光部２から照射された光は、貫通穴５３内で、発光部２と対向するライトガイド４の入光面６３に対して照射され、照射された光は、入光面６３からライトガイド４内に入光する。ライトガイド４内に入光し、ライトガイド４内を導光された光は、ライトガイド４の内壁面で全反射を繰り返しながら、先端部４ａの方向に向かう。先端部４ａに到達した光は、凹部４１によってライトガイド４の外側に出光するが、凹部４１によって出光する光は、凹部４１を透過する光と、凹部４１で反射して出光する光とに分かれる。
【００４９】
まず、ライトガイド４を通って凹部４１に到達し、凹部４１を透過する光は、凹部４１を透過して凹部表面４１ａから出光する。凹部表面４１ａから出光する光は、凹部４１に到達する際における光の角度と凹部表面４１ａとの相対的な角度とに応じて屈折して出光する。これにより、凹部表面４１ａから出光する光は、拡散しながら、リフレクタ１３０の開口部１３５の方向に向かう。
【００５０】
このように凹部４１を透過する光に対し、凹部４１で反射する光は、凹部内面４１ｂで反射をする。即ち、ライトガイド４を通って凹部４１に到達した光のうち、一部の光は凹部４１を透過せずに凹部内面４１ｂで反射する。この凹部内面４１ｂは、リフレクタ１３０に対向しているため、凹部内面４１ｂで反射した光は、リフレクタ１３０の方向に向かう。凹部内面４１ｂからリフレクタ１３０に照射された光は、リフレクタ１３０の反射面で反射し、リフレクタ１３０の開口部１３５の方向に向かう。これらにより、発光部２から照射された光は、リフレクタ１３０の開口部１３５から所望の方向へ照射される。
【００５１】
また、発光部２の発光時は、発光素子２１や制御素子は発熱をするが、この熱は、これらが実装される基板２２の放熱面６２を介して、保持部３に伝達される。保持部３は、ヒートシンク３３が開放された状態になっているため、保持部３に伝達された熱は、ヒートシンク３３で放熱を行う。これにより、発光素子２１や制御素子で発生した熱は、車両用照明装置１００の外部に放熱され、車両用照明装置１００の温度が高くなり過ぎることが抑えられる。
【００５２】
以上の実施形態１に係る車両用照明装置１００は、発光素子２１に供給する電気を受ける受電部材７０を備える光源ユニット１を、取付モジュール１１０に装着可能に構成し、取付モジュール１１０には、光源ユニット１の装着時に、受電部材７０に対して電気的に接続されるバスバー１２０を設けている。これにより、光半導体素子である発光素子２１の、車両用照明装置１００への装着を容易に行い、また、発光素子２１と外部電源との電気的な接続も容易に行うことができる。また、光源ユニット１には、ライトガイド４を備えているので、発光素子２１から照射された光を効率よくリフレクタ１３０に照射することができ、リフレクタ１３０から所望の方向に照射することができる。これらの結果、発光素子２１の装着と電気的な接続を容易に行うことができ、且つ、発光素子２１からの照射光を適切に照射することができる。
【００５３】
また、外部電源と光源ユニット１との電気的な接続を、バスバー１２０を介して行うため、車両用照明装置１００に光源ユニット１を複数設ける場合でも、複数の光源ユニット１と、外部電源との電気的な接続を、容易に行うことができる。このため、車両用照明装置１００の組み立て時の作業性の向上や製造コストの低減を図ることができる。さらに、車両用照明装置１００に不具合が発生した場合でも、光源ユニット１を取り外すのみで、電気的な接続の解除も行うことができるため、光源ユニット１の交換を容易に行うことができる。この結果、メンテナンス性の向上と、製造コストの低減を図ることができる。
【００５４】
また、受電部材７０は、取付モジュール１１０への光源ユニット１の装着時に、バスバー１２０の溝部１２１に入り込むことによって、バスバー１２０と電気的に接続されるため、取付モジュール１１０に光源ユニット１を装着するのみで、受電部材７０とバスバー１２０との電気的な接続を行うことができる。この結果、外部電源に対する発光素子２１の電気的な接続を、より容易に行うことができる。
【００５５】
また、光源ユニット１は、ねじ部材７５によって取付モジュール１１０に装着されるため、取付モジュール１１０への光源ユニット１の着脱を、容易に行うことができる。さらに、取付モジュール１１０に、光源ユニット１に対して係合する爪部１１２を設け、光源ユニット１は、爪部１１２の係合によって取付モジュール１１０に装着されるため、これによっても、取付モジュール１１０への光源ユニット１の着脱を、容易に行うことができる。これらの結果、車両用照明装置１００への発光素子２１の装着を、より確実に容易に行うことができる。
【００５６】
〔変形例〕
なお、上述した車両用照明装置１００では、ヒートシンク３３は、単に蓋部５の取付部５４側に開放されることにより放熱を行っているのみであるが、ヒートシンク３３は、積極的に放熱を行うことができるように構成されていてもよい。図１０は、実施形態に係る車両用照明装置の変形例であり、ヒートシンクをバスバーに接触する構成を示す説明図である。ヒートシンク３３は、例えば、図１０に示すように、取付モジュール１１０への光源ユニット１の装着時に、バスバー１２０に接触するように構成されていてもよい。具体的には、ヒートシンク３３に、外部に引き出される部分である引出部３４と、バスバー１２０に接触する接触部３５とを設ける。この引出部３４は、受電部材７０と同様に、蓋部５に形成された受電部材用開口部７１から、蓋部５の外側に引き出される。接触部３５は、引出部３４の先端部分に、引出部３４と一体となって設けられている。
【００５７】
このように構成される接触部３５は、取付モジュール１１０への光源ユニット１の装着時において、受電部材７０がバスバー１２０に係合して電気的に接続される際に、接触部３５がバスバー１２０に接触する。即ち、ヒートシンク３３の接触部３５は、取付モジュール１１０に光源ユニット１を装着した状態では、バスバー１２０に接触し続ける。
【００５８】
なお、光源ユニット１には、受電部材７０が複数設けられ、これに対応して取付モジュール１１０にもバスバー１２０が複数設けられているが、ヒートシンク３３は、バスバー１２０に対応して複数設けられ、複数のヒートシンク３３は、電気的に絶縁した状態で配設されている。引出部３４や接触部３５は、このように電気的に絶縁している複数のヒートシンク３３のそれぞれに設けられており、取付モジュール１１０への光源ユニット１の装着時には、これらの引出部３４や接触部３５は電気的に接触することなく、それぞれが別々のバスバー１２０に接触する。
【００５９】
バスバー１２０には、このようにヒートシンク３３の接触部３５が接触しているため、発光素子２１の発光時に発生する熱は、引出部３４や接触部３５に伝わり、さらに、接触部３５に接触しているバスバー１２０に伝わる。このバスバー１２０は、金属材料から形成されるため放熱性が高く、また、電気経路上の広範囲に渡って配設されるため、表面積が大きくなっている。このため、発光素子２１の発光時における放熱性を向上させることができる。
【００６０】
なお、このようにヒートシンク３３の接触部３５をバスバー１２０に接触させる際には、接触部３５とバスバー１２０との間に、熱伝導グリスや熱伝導シート等を介在させるのが好ましい。このように、熱伝導グリスを介在させて接触部３５とバスバー１２０を接触させることにより、微細な隙間を埋めて双方を接触させることができるため、接触部３５とバスバー１２０との間で、熱交換をより行わせ易くすることができる。この結果、より確実に放熱性を向上させることができる。
【００６１】
また、上述した車両用照明装置１００では、爪部１１２は取付モジュール１１０に設けられているが、爪部１１２は取付モジュール１１０以外に設けられていてもよく、例えば、光源ユニット１に設けられていてもよい。爪部１１２は、光源ユニット１と取付モジュール１１０とのうち少なくともいずれか一方に設けられて、他方に係合するように形成されていればよく、この爪部１１２の係合により、光源ユニット１が取付モジュール１１０に装着されるように構成されていればよい。爪部１１２は、取付モジュール１１０への光源ユニット１の装着や取り外しを、容易に行うことができるように構成されていれば、その形態は問わない。
【００６２】
また、上述した車両用照明装置１００では、光源ユニット１に、発光素子２１からの光を導光させるライドガイド４を備える構成を示したが、ライドガイド４を省略して、発光素子２１から照射される光を直接利用する構成としても良い。また、ライトガイド４の代わりに、レンズ等の光学部材を光学素子２２の前面側に設けた構成としても良く、その形態は問わない。
【００６３】
また、上述した車両用照明装置１００では、光源ユニット１に、保持部３に蓋部５を設けた構成を示したが、蓋部５を省略する構成としても良く、その形態は問わない。
【００６４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６５】
１  光源ユニット
２  発光部
３  保持部
４  ライトガイド
４ａ  先端部
５  蓋部
２１  発光素子
２２  基板
２４  発光容器
３１  マウント
３２  本体部
３３  ヒートシンク（放熱部）
３４  引出部
３５  接触部
４１  凹部（出光部）
４１ａ  凹部表面
４１ｂ  凹部内面
５４  取付部
７０  受電部材
７５  ねじ部材
７６  貫通孔
１００  車両用照明装置
１１０  取付モジュール（装着部材）
１１１  装着面
１１２  爪部
１１３  ねじ孔
１１５  隔壁部
１１６  隔壁溝部
１２０  バスバー
１２１  溝部
１３０  リフレクタ（照射対象物）
【図１】
2015106544.tif 000003
【図２】
2015106544.tif 000004
【図３】
2015106544.tif 000005
【図４】
2015106544.tif 000006
【図５】
2015106544.tif 000007
【図６】
2015106544.tif 000008
【図７】
2015106544.tif 000009
【図８】
2015106544.tif 000010
【図９】
2015106544.tif 000011
【図１０】
2015106544.tif 000012